(57)【要約】【課題】ディスク種別を適切に判別できるディスク再生装置等を提供する。【解決手段】半導体レーザ１１（１１ａ〜１１ｃ）、フロントフォトダイオード２０（２０ａ〜２０ｃ）、ＡＰＣ回路２１（２１ａ〜２１ｃ）、及び、制御回路２２（２２ａ〜２２ｃ）がそれぞれ独立して動作可能となっている。そして、ＣＤ用、ＤＶＤ用、及び、ＢＤ用の３波長のレーザ光を同時に照射させながら、一定速度でアップスイープを行い、その開始から反射光が得られるまでの時間に従って、ディスクＤの種別を判別する。つまり、３波長のレーザ光を同時に照射して、フォーカスアップサーチを行うため、ディスクＤがどの種別でも、少なくとも、対応する波長のレーザ光の反射光が確実に得られることになる。【選択図】図１
2008021389.tif 000002
【特許請求の範囲】
【請求項１】
１つのレンズから複数種類のレーザ光を照射してディスクを再生するディスク再生装置であって、
複数種類のレーザ光を同時に照射する照射手段と、
前記照射手段が照射した各レーザ光の何れかの反射光を受光する受光手段と、
所定位置からフォーカス方向にレンズを移動させ、前記受光手段が反射光を受光するまでの時間を測定する測定手段と、
前記測定手段が測定した時間に従って、ディスク種別を判別する判別手段と、
前記判別手段が判別したディスク種別に応じて、対応するレーザ光だけを前記照射手段に照射させディスクからデータを再生する再生手段と、
を備えることを特徴とするディスク再生装置。
【請求項２】
前記測定手段は、フォーカス方向の下限位置からアップスイープさせ、前記受光手段が反射光を受光するまでの時間を測定する、
ことを特徴とする請求項１に記載のディスク再生装置。
【請求項３】
前記測定手段は、複数層の記録面を有するディスクから、前記受光手段が反射光を受光するまでの時間を複数回測定し、
前記判別手段は、前記測定手段が複数回測定した各時間に従って、ディスク種別を判別する、
ことを特徴とする請求項１又は２に記載のディスク再生装置。
【請求項４】
１つのレンズから複数種類のレーザ光を照射してディスクを再生するディスク再生装置におけるディスク判別方法であって、
複数種類のレーザ光を同時に照射する照射ステップと、
前記照射ステップにて照射した各レーザ光の何れかの反射光を受光する受光ステップと、
所定位置からフォーカス方向にレンズを移動させ、前記受光ステップにて反射光を受光するまでの時間を測定する測定ステップと、
前記測定ステップにて測定した時間に従って、ディスク種別を判別する判別ステップと、
を備えることを特徴とするディスク判別方法。
【発明の詳細な説明】
【技術分野】
【０００１】
この発明は、ディスク再生装置、および、ディスク判別方法に関する。
【背景技術】
【０００２】
近年、ＤＶＤ（Digital Versatile Disc）及びＣＤ（Compact Disc）を再生可能なＤＶＤプレーヤ（ディスク再生装置）が広く普及している。このようなＤＶＤプレーヤは、ユーザにより装填されたＤＶＤ又はＣＤを自動的に判別し、そのディスクの規格に沿って再生（映像再生や音楽再生等）を行うことができる。
【０００３】
このようなＤＶＤプレーヤは、ＤＶＤ及びＣＤの両種別に対応するために、例えば、２波長対応のピックアップを使用していた。そして、ディスク検出時に、ＤＶＤ用のレーザ光をディスク（記録面）に照射して、フォーカスアップサーチを行い、その開始から反射光が得られるまでの時間に従って、ＤＶＤなのかＣＤなのかを判別していた。これは、ディスク表面から記録面（信号面）までの距離が、ＤＶＤ（０．６ｍｍ）と、ＣＤ（１．２ｍｍ）とで異なることを利用している。
【０００４】
なお、装填されたディスクの種別（ＤＶＤ，ＣＤ等）を短時間で判別できる光ピックアップ装置の技術も開示されている（例えば、特許文献１参照）。
【特許文献１】特開平１０−１４９５６９公報  （第３−７頁、第１図）
【発明の開示】
【発明が解決しようとする課題】
【０００５】
上述したＤＶＤプレーヤでは、ＤＶＤ用のレーザ光だけを用いて、ディスクの種別を判別しているが、このように、一方のレーザ光（１波長）を用いて、両種類のディスクの種別を判別する際に、誤判別が生じてしまう場合があった。
これは、波長の異なるレーザ光をディスクに照射した場合（例えば、ＣＤに対して、ＤＶＤ用のレーザ光を照射した場合）、ディスクの状態や品質等が影響して、その記録面から適切な反射光が得らないことが起こり得る。そして、適切な反射光が得らないと、ＤＶＤプレーヤは、ディスク無し等の誤判別をしてしまうことになる。
【０００６】
また、最近では、次世代光ディスクと称されるＢＤ（Blu-ray Disc）が発表され、製品化等が進められている。そのため、今後、ＢＤを含めた少なくとも３つの種別（ＢＤ、ＤＶＤ、ＣＤ）のディスクを再生対象となる。
このように、再生対象のディスクの種別が増えると、上述したディスクの誤判別が生じる可能性がより高まるため、根本的な問題解決が求められていた。
【０００７】
本発明は、上記実状に鑑みてなされたもので、ディスク種別を適切に判別することのできるディスク再生装置、および、ディスク判別方法を提供することを目的とする。
【課題を解決するための手段】
【０００８】
上記目的を達成するため、本発明の第１の観点に係るディスク再生装置は、
１つのレンズから複数種類のレーザ光を照射してディスクを再生するディスク再生装置であって、
複数種類のレーザ光を同時に照射する照射手段と、
前記照射手段が照射した各レーザ光の何れかの反射光を受光する受光手段と、
所定位置からフォーカス方向にレンズを移動させ、前記受光手段が反射光を受光するまでの時間を測定する測定手段と、
前記測定手段が測定した時間に従って、ディスク種別を判別する判別手段と、
前記判別手段が判別したディスク種別に応じて、対応するレーザ光だけを前記照射手段に照射させディスクからデータを再生する再生手段と、
を備えることを特徴とする。
【０００９】
前記測定手段は、フォーカス方向の下限位置からアップスイープさせ、前記受光手段が反射光を受光するまでの時間を測定してもよい。
【００１０】
前記測定手段は、複数層の記録面を有するディスクから、前記受光手段が反射光を受光するまでの時間を複数回測定し、
前記判別手段は、前記測定手段が複数回測定した各時間に従って、ディスク種別を判別してもよい。
【００１１】
上記目的を達成するため、本発明の第２の観点に係るディスク判別方法は、
１つのレンズから複数種類のレーザ光を照射してディスクを再生するディスク再生装置におけるディスク判別方法であって、
複数種類のレーザ光を同時に照射する照射ステップと、
前記照射ステップにて照射した各レーザ光の何れかの反射光を受光する受光ステップと、
所定位置からフォーカス方向にレンズを移動させ、前記受光ステップにて反射光を受光するまでの時間を測定する測定ステップと、
前記測定ステップにて測定した時間に従って、ディスク種別を判別する判別ステップと、
を備えることを特徴とする。
【発明の効果】
【００１２】
本発明によれば、ディスク種別を適切に判別することができる。
【発明を実施するための最良の形態】
【００１３】
本発明の実施の形態にかかるディスク再生装置について、以下図面を参照して説明する。なお、一例として、再生対象を、ＢＤ（Blu-ray Disc）、ＤＶＤ（Digital Versatile Disc）、及び、ＣＤ（Compact Disc）の３種別のディスクとした場合について説明する。
【００１４】
図１は、この発明の実施形態に適用されるディスク再生装置の構成の一例を示す模式図である。
図示するように、このディスク再生装置は、３つの種別（ＢＤ、ＤＶＤ、ＣＤ）のディスクＤを再生可能な装置であり、半導体レーザ１１と、コリメートレンズ１２と、ミラー１３と、ダイクロプリズム１４と、偏光ビームスプリッタ１５と、開口制限素子１６と、対物レンズ１７と、シリンドリカルレンズ１８と、光検出素子１９と、フロントフォトダイオード２０と、ＡＰＣ回路２１と、制御回路２２と、信号処理回路２３と、ＡＤ変換回路２４，２５と、記憶回路２６，２７と、ディスク判別回路２８と、ＣＰＵ２９とを含んで構成される。
なお、図１中では、省略してあるが、ディスクＤが載置されるターンテーブルやその駆動系等もディスク再生装置に含まれている。
【００１５】
半導体レーザ１１（１１ａ〜１１ｃ）は、異なる波長のレーザ光を発生させるレーザ素子をそれぞれ有しており、コリメートレンズ１２等を通じて、ディスクＤの記録面（信号面）に向けてレーザ光を照射する。
例えば、半導体レーザ１１ａは、ＣＤ用のレーザ光となる波長７８０ｎｍの赤色レーザを照射し、また、半導体レーザ１１ｂは、ＤＶＤ用のレーザ光となる波長６５０ｎｍの赤色レーザを照射し、そして、半導体レーザ１１ｃは、ＢＤ用のレーザ光となる波長４０５ｎｍの青紫色レーザを照射する。
【００１６】
コリメートレンズ１２（１２ａ〜１２ｃ）は、拡散光を平行光に変換する。つまり、半導体レーザ１１から照射された各レーザ光を平行光に変換してミラー１３やダイクロプリズム１４に供給する。
【００１７】
ミラー１３（１３ａ，１３ｂ）は、コリメートレンズ１２を通ったレーザ光を所定角度で反射させ、ダイクロプリズム１４に供給する。
例えば、ミラー１３ａは、半導体レーザ１１ａから照射されたＣＤ用のレーザ光を反射させてダイクロプリズム１４に供給し、また、ミラー１３ｂは、半導体レーザ１１ｃから照射されたＢＤ用のレーザ光を反射させてダイクロプリズム１４に供給する。
【００１８】
ダイクロプリズム１４は、２種類のレーザ光をそれぞれ所定角度で反射させ、また、他の１種類のレーザ光を透過させることにより、各レーザ光を偏光ビームスプリッタ１５に供給する。
例えば、ダイクロプリズム１４は、ミラー１３ａから供給されたＣＤ用のレーザ光、及び、ミラー１３ｂから供給されたＢＤ用のレーザ光をそれぞれ反射させて偏光ビームスプリッタ１５に供給し、また、半導体レーザ１１ｂから照射されたＤＶＤ用のレーザ光を透過させて偏光ビームスプリッタ１５に供給する。
【００１９】
偏光ビームスプリッタ１５は、各波長のレーザ光を透過させ、また、各反射光を所定角度で反射させる。
具体的には、半導体レーザ１１から照射された（ダイクロプリズム１４を通った）各レーザ光を透過させて開口制限素子１６に供給すると共に、ディスクＤの記録面からの各反射光を反射させてシリンドリカルレンズ１８に供給する。
【００２０】
開口制限素子１６は、例えば、波長選択性のダイクロイックフィルタ等からなり、３波長の各レーザ光に対応し、レンズの開口数（ＮＡ）を適宜変化させる。
具体的には、ＣＤ用のレーザ光をＮＡ：０．４５に変化させ、また、ＤＶＤ用のレーザ光をＮＡ：０．６５に変化させ、そして、ＢＤ用のレーザ光をＮＡ：０．８５に変化させる。
【００２１】
対物レンズ１７は、各レーザ光をディスクＤの記録面に照射し、また、各反射光を集光する。
具体的には、半導体レーザ１１から照射された（開口制限素子１６を通った）各レーザ光を、ディスクＤの記録面上に収束させる。また、ディスクＤの記録面にて反射された各反射光を集光し、偏光ビームスプリッタ１５等を通じて光検出素子１９まで供給する。
なお、対物レンズ１７は、図示せぬレンズアクチュエータによって、フォーカス方向及び、トラッキング方向に駆動可能となっている。つまり、対物レンズ１７は、ディスク判別回路２８やＣＰＵ２９からの制御に従って、フォーカスサーチ等を行うことができるようになっている。
【００２２】
シリンドリカルレンズ１８は、偏光ビームスプリッタ１５を通じて供給される各反射光を、光検出素子１９上に集光させる。
なお、シリンドリカルレンズ１８は、各波長の反射光に非点収差作用を付加し、光検出素子１９において非点収差法によるフォーカスエラー信号等が生成可能としている。
【００２３】
光検出素子１９は、例えば、中央部が４分割され、かつ、その両側が各２分割された受光部を有しており、シリンドリカルレンズ１８により集光された各反射光を受光する。
具体的には、分割された各受光部にて受光した各反射光の強度分布等に応じた受光信号を生成し、信号処理回路２３に供給する。
【００２４】
フロントフォトダイオード（フロントモニタダイオード）２０（２０ａ〜２０ｃ）は、半導体レーザ１１の発光光量をモニタし、そのモニタ信号をＡＰＣ回路２１に供給する。
【００２５】
ＡＰＣ（Auto Power Control）回路２１（２１ａ〜２１ｃ）は、フロントフォトダイオード２０から供給されるモニタ信号に基づいて、レーザ出力を調整するためのコントロール信号を制御回路２２に供給する。
【００２６】
制御回路２２（２２ａ〜２２ｃ）は、半導体レーザ１１等を制御して、所定波長のレーザ光を照射させる。その際、ＡＰＣ回路２１から供給されるコントロール信号に従って、半導体レーザ１１のレーザ出力等を調整する。
なお、３つの半導体レーザ１１に対応して、上述したフロントフォトダイオード２０、ＡＰＣ回路２１、及び、制御回路２２がそれぞれ設けられており、それぞれが独立して動作可能となっているため、３波長のレーザ光を同時に発光（照射）させることができるようになっている。
【００２７】
信号処理回路２３は、光検出素子１９から生成される受光信号を適宜処理し、再生ＲＦ信号（以下、ＲＦ信号）、フォーカスエラー信号（以下、ＦＥ信号）、及び、トラッキングエラー信号等をそれぞれ生成する。
そして、生成したＦＥ信号をＡＤ変換回路２４に供給し、また、ＲＦ信号をＡＤ変換回路２５に供給する。
【００２８】
ＡＤ（Analog to Digital）変換回路２４，２５は、アナログ信号をデジタル信号に変換する。
具体的にＡＤ変換回路２４は、信号処理回路２３から供給されるＦＥ信号をデジタル信号に変換し、記憶回路２６にそれぞれ供給する。また、ＡＤ変換回路２５は、信号処理回路２３から供給されるＲＦ信号をデジタル信号に変換し、記憶回路２７にそれぞれ供給する。
【００２９】
記憶回路２６（２６ａ〜２６ｃ），２７（２７ａ〜２７ｃ）は、ＲＡＭ等のメモリからなり、ＡＤ変換回路２４，２５から供給されたデジタル信号をそれぞれ記憶する。
例えば、記憶回路２６ａは、ＣＤ用のＦＥ信号（ＦＥ１）を記憶し、また、記憶回路２６ｂは、ＤＶＤ用のＦＥ信号（ＦＥ２）を記憶し、そして、記憶回路２６ｃは、ＢＤ用のＦＥ信号（ＦＥ３）を記憶する。
一方、記憶回路２７ａは、ＣＤ用のＲＦ信号（ＲＦ１）を記憶し、また、記憶回路２７ｂは、ＤＶＤ用のＲＦ信号（ＲＦ２）を記憶し、そして、記憶回路２７ｃは、ＢＤ用のＲＦ信号（ＲＦ３）を記憶する。
【００３０】
ディスク判別回路２８は、計時を行うタイマ等を備えており、反射光が得られるまでの時間を測定し、その時間からディスクＤの種別を判別する。
具体的には、対物レンズ１７をフォーカス方向の下限位置（駆動下限）に移動させた後、３波長の各レーザ光を同時に照射させながら、一定速度でアップスイープ（フォーカスアップサーチ）を行い、その開始から反射光が得られるまでの時間に従って、ディスクＤの種別を判別する。
すなわち、ＣＤ用、ＤＶＤ用、及び、ＢＤ用の３波長のレーザ光を同時に照射して、フォーカスアップサーチを行うため、ディスクＤがどの種別でも、少なくとも、対応する波長のレーザ光の反射光が確実に得られることになる。
そして、ディスク表面から記録面までの距離が、ＣＤ（１．２ｍｍ）と、ＤＶＤ（０．６ｍｍ）と、ＢＤ（０．１ｍｍ）とで全て異なるため、何れかのＦＥ信号（記録面からの反射信号）が得られるまでの時間に従って、ディスクＤの種別を適切に判別することができる。
なお、フォーカス方向の下限位置からアップスイープを行うため、ＦＥ信号が得られるまでの時間は、早い方からＢＤ、ＤＶＤ、ＣＤの順番となる。つまり、ディスク表面から記録面までの距離が最も浅いＢＤからは最短時間でＦＥ信号が得られ、逆に、最も深いＣＤからは最長時間でＦＥ信号が得られることになる。
【００３１】
このディスク判別手法を、図２を参照して、より詳細に説明する。
まず、図２（ａ）に示すように、タイミングＴ0にて、マイナス方向のフォーカスサーチ信号（ＦＯＤ）を、対物レンズ１７のレンズアクチュエータに供給して、対物レンズ１７をダウンスイープさせる。
そして、タイミングＴ1にて、対物レンズ１７がフォーカス方向の下限位置まで達すると、今度は、プラス方向のフォーカスサーチ信号をレンズアクチュエータに供給して、対物レンズ１７を一定速度でアップスイープさせる。このアップスイープは、フォーカス方向の上限位置（駆動上限）に達するまで（つまり、タイミングＴ2まで）続けられる。
【００３２】
一方、上述のタイミングＴ1（下限位置）にて、各半導体レーザ１１（１１ａ〜１１ｃ）から３波長のレーザ光を同時に照射させると共に、タイマによる計時を開始する。そして、記憶回路２６を介してＦＥ信号が得られるまでの時間を測定する。
例えば、ディスクＤがＣＤである場合に、図２（ｂ）に示すように、少なくともＣＤ用のレーザ光による反射光（ＦＥ１）が得られ、タイミングＴ1からこのＦＥ１が得られるまでの時間ｔ0が測定される。
また、ディスクＤがＤＶＤである場合に、図２（ｃ）に示すように、少なくともＤＶＤ用のレーザ光による反射光（ＦＥ２）が得られ、同様に、タイミングＴ1からＦＥ２が得られるまでの時間ｔ0が測定される。
そして、ディスクＤがＢＤである場合に、図２（ｄ）に示すように、少なくともＢＤ用のレーザ光による反射光（ＦＥ３）が得られ、タイミングＴ1からＦＥ３が得られるまでの時間ｔ0が同様に測定される。
【００３３】
ディスク判別回路２８は、このようにして測定された時間ｔ0に従って、ディスク種別を判別する。例えば、ＣＤ、ＤＶＤ、及び、ＢＤに対応する基準値や基準範囲がそれぞれ求められており、それら各基準値等と測定された時間ｔ0とを比較することにより、ディスク種別を判別する。
例えば、ディスクＤがＢＤとＤＶＤのハイブリッドディスクである場合には、上述した図２（ｂ）〜（ｃ）と幾分異なる。つまり、図２（ｅ）に示すように、まずＢＤ層における時間ｔ0が測定される。これは、ＢＤ層の記録面が、ＤＶＤ層の記録面よりも浅いためである。
それでも、その後、更にＤＶＤ層の記録面からの反射光が得られ、時間ｔ1が測定されるため、これら時間ｔ0及び時間ｔ1から、ディスク種別を適切に判別することができる。
【００３４】
図１に戻って、ＣＰＵ（Central Processing Unit）２９は、ディスク再生装置全体を制御する。
具体的にＣＰＵ２９は、ディスク判別回路２８が上述したようなディスク種別を行えるように、制御回路２２等を適宜制御する。そして、ディスク判別回路２８の判別結果に従って、対象の制御回路２２を制御し、対象の半導体レーザ１１からディスク種別に応じたレーザ光を照射させて、ディスクＤの再生を行う。
【００３５】
以下、このような構成のディスク再生装置の動作について、図３及び図４を参照して説明する。図３は、ディスクＤの種別を判別する判別処理を説明するためのフローチャートである。また、図４は、時間測定処理（判別処理のサブルーチン）を説明するためのフローチャートである。
図３の判別処理は、例えば、ディスクＤがディスク再生装置に装填された際に、開始される。
【００３６】
まず、ディスク再生装置は、ディスクＤを回転させる（ステップＳ１１）。つまり、ターンテーブル等を駆動させて、ディスクＤを所定の回転速度で回転させる。
【００３７】
ディスク再生装置は、ダウンスイープを開始する（ステップＳ１２）。すなわち、対物レンズ１７のレンズアクチュエータに、マイナス方向のフォーカスサーチ信号を供給して、対物レンズ１７をダウンスイープさせる。
【００３８】
ディスク再生装置は、駆動下限に達するまで待機する（ステップＳ１３）。つまり、対物レンズ１７がフォーカス方向の下限位置に達するまで、ダウンスイープを続ける。
そして、駆動下限に達すると、ディスク再生装置は、ダウンスイープを停止する（ステップＳ１４）。
【００３９】
ディスク再生装置は、全てのレーザをＯＮする（ステップＳ１５）。すなわち、各制御回路２２（２２ａ〜２２ｃ）を制御し、各半導体レーザ１１（１１ａ〜１１ｃ）から各波長のレーザ光を照射させる。
【００４０】
ディスク再生装置は、アップスイープを開始する（ステップＳ１６）。すなわち、対物レンズ１７のレンズアクチュエータに、今度は、プラス方向のフォーカスサーチ信号を供給して、対物レンズ１７をアップスイープさせる。
【００４１】
そして、ディスク再生装置は、時間測定処理を行う（ステップＳ１７）。つまり、反射光（ＦＥ信号）が得られるまでの時間を測定する。
この時間測定処理について、図４を参照して説明する。
【００４２】
図４に示すように、まず、ディスク再生装置は、ＦＥ信号が得られるまでの時間を記憶するための時間ｔ0及び時間ｔ1（ワークメモリ等）をゼロクリアする（ステップＳ２１）。
そして、ディスク再生装置は、タイマをスタートさせ計時を開始する（ステップＳ２２）。
【００４３】
ディスク再生装置は、ＦＥ振幅が得られた否かを判別する（ステップＳ２３）。すなわち、ディスク判別回路２８は、記憶回路２６（２６ａ〜２６ｃ）の何れかを介して、ＦＥ信号が得られたかどうかを判別する。
【００４４】
ディスク再生装置は、ＦＥ振幅が得られていないと判別すると、駆動上限か否かを判別する（ステップＳ２４）。つまり、対物レンズ１７がフォーカス方向の上限位置に達したかどうかを判別する。
ディスク再生装置は、駆動上限でないと判別すると、上述のステップＳ２３に処理を戻す。一方、駆動上限であると判別した場合に、時間測定処理を終え、図３の判別処理に戻る。
【００４５】
ディスク再生装置は、上述のステップＳ２３にて、ＦＥ振幅が得られたと判別すると、タイマにて計時した時間を時間ｔ0にセットする（ステップＳ２５）。すなわち、下限位置からＦＥ信号が得られるまでの測定時間を、時間ｔ0に設定する。
【００４６】
ディスク再生装置は、タイマをスタートさせ計時を開始する（ステップＳ２６）。そして、ＦＥ振幅が得られた否かを判別する（ステップＳ２７）。すなわち、ディスクＤがハイブリッドディスクのように記録面が２層であることも考慮して、以降、別の層の記録面からＦＥ信号が得られるかどうかを判別する。
【００４７】
ディスク再生装置は、ＦＥ振幅が得られていないと判別すると、駆動上限か否かを判別する（ステップＳ２８）。そして、駆動上限でないと判別すると、上述のステップＳ２７に処理を戻す。一方、駆動上限であると判別した場合に、時間測定処理を終え、図３の判別処理に戻る。
【００４８】
ディスク再生装置は、上述のステップＳ２７にて、ＦＥ振幅が得られたと判別すると、タイマにて計時した時間を時間ｔ1にセットする（ステップＳ２９）。すなわち、前回のＦＥ信号が得られてから、今回のＦＥ信号が得られるまでの測定時間を、時間ｔ1に設定する。
【００４９】
そして、ディスク再生装置は、駆動上限に達するまで待機し（ステップＳ３０）、時間測定処理を終え、図３の判別処理に戻る。
【００５０】
図３に戻って、ステップＳ１７の時間測定処理を終えると、ディスク再生装置は、アップスイープを停止する（ステップＳ１８）。
【００５１】
そして、ディスク再生装置は、測定された時間に従って、ディスクＤの種別を判別する（ステップＳ１９）。すなわち、ディスク判別回路２８は、図４の時間測定処理にて測定された時間ｔ0等に従って、ディスクＤがＣＤなのか、ＤＶＤなのか、又は、ＢＤなのかを判別する。
例えば、時間ｔ1が０の場合（つまり、１層の場合）、時間ｔ0の値に従って、ディスク種別を判別する。
また、時間ｔ1が０でない場合（つまり、２層の場合）、時間ｔ0及び時間ｔ1の値に従って、ディスク種別を判別する。
なお、時間ｔ0が０の場合は、反射光（ＦＥ信号）が得られなかった場合であるため、ディスク無しと判別する。
【００５２】
このような判別処理によって、ディスクＤの種別を適切に判別することができる。
つまり、ＣＤ用、ＤＶＤ用、及び、ＢＤ用の３波長のレーザ光を同時に照射して、フォーカスアップサーチを行うため、ディスクＤがどの種別でも、少なくとも、対応する波長のレーザ光の反射光が確実に得られることになる。
そして、ディスク表面から記録面までの距離が、ＣＤと、ＤＶＤと、ＢＤとで全て異なるため、下限位置からＦＥ信号が得られるまでの時間に従って、ディスクＤの種別を適切に判別することができる。
【００５３】
上記の実施形態では、ハイブリッドディスクのような片面２層の記録面を有するディスクＤに対応するため、上述した図４に示す時間測定処理にて、２回の測定（時間ｔ0及び時間ｔ1）を行う場合について説明したが、片面３層以上の記録面を有するディスクＤが存在する場合にも適宜対応可能である。
つまり、図４に示す時間測定処理にて、測定回数（時間ｔ0、時間ｔ1、時間ｔ2、・・・）を増やすことで対応することができる。
【００５４】
上記の実施形態では、対物レンズ１７が１つの場合、つまり、１レンズのピックアップの場合を一例として説明したが、２レンズのピックアップの場合についても適宜適用可能である。
【００５５】
上記の実施形態では、下限位置からアップスイープし、反射光が得られるまでの時間を測定して、ディスクＤの種別を判別する場合について説明したが、逆に、上限位置からダウンスイープし、反射光が得られるまでの時間を測定して、ディスクＤの種別を判別してもよい。
【００５６】
以上説明したように、本発明によれば、再生用のレーザ光（レーザ波長及びＮＡ等）が異なる複数のディスクから、ディスク種別を適切に判別することができる。
【図面の簡単な説明】
【００５７】
【図１】本発明の実施形態に適用されるディスク再生装置の構成の一例を示す模式図である。
【図２】ディスク判別のために、時間ｔ0等を測定する様子を説明するための模式図である。
【図３】本発明の実施形態に係る判別処理を説明するためのフローチャートである。
【図４】判別処理のサブルーチンである時間測定処理を説明するためのフローチャートである。
【符号の説明】
【００５８】
１１（１１ａ〜１１ｃ）  半導体レーザ
１２（１２ａ〜１２ｃ）  コリメートレンズ
１３（１３ａ，１３ｂ）  ミラー
１４  ダイクロプリズム
１５  偏光ビームスプリッタ
１６  開口制限素子
１７  対物レンズ
１８  シリンドリカルレンズ
１９  光検出素子
２０（２０ａ〜２０ｃ）  フロントフォトダイオード
２１（２１ａ〜２１ｃ）  ＡＰＣ回路
２２（２２ａ〜２２ｃ）    制御回路
２３  信号処理回路
２４，２５  ＡＤ変換回路
２６，２７（２６ａ〜２６ｃ，２７ａ〜２７ｃ）  記憶回路
２８  ディスク判別回路
２９  ＣＰＵ
【図１】
2008021389.tif 000003
【図２】
2008021389.tif 000004
【図３】
2008021389.tif 000005
【図４】
2008021389.tif 000006